(57)【要約】【課題】画像形成装置を使用する者が、ステイプル針除去手段に不用意に触れてけがをすることを防ぐことができる安全な画像形成装置を提供すること。【解決手段】幅寸法が先端に向かって細くなる先端部を有する薄板部材からなるステイプル針除去手段と、外装部材に開口部を形成して、前記ステイプル針除去手段により除去されたステイプル針を受ける収容部を備える画像形成装置であって、前記収容部は、その底壁と該底壁の一の縁から立設する一の側壁を有し、前記ステイプル針除去手段は前記側壁から前記収容部空間に向かって突出した状態でステイプル針除去に使用され、前記画像形成装置は、前記ステイプル針除去手段を外装部材から露出させるとともに外装部材内部に収納することを可能とした画像形成装置とする。【選択図】図２
2010046784.tif 000002
【特許請求の範囲】
【請求項１】
幅寸法が先端に向かって細くなる先端部を有する薄板部材からなるステイプル針除去手段と、
外装部材に開口部を形成して、前記ステイプル針除去手段により除去されたステイプル針を受ける収容部を備える画像形成装置であって、
前記収容部は、その底壁と該底壁の一の縁から立設する一の側壁を有し、
前記ステイプル針除去手段は前記側壁から前記収容部空間に向かって突出した状態でステイプル針除去に使用され、
前記画像形成装置は、前記ステイプル針除去手段を外装部材から露出させるとともに外装部材内部に収納することを可能とすることを特徴とする画像形成装置。
【請求項２】
前記画像形成装置は、前記収容部の側壁に形成される穴部と、該穴部の縁部から外装部材内部に向かって延設する案内壁を備え、
前記案内壁は、前記ステイプル針除去手段を外装部材内部に収納するための収納空間を形成し、
前記ステイプル針除去手段は、前記案内壁に沿ってスライド移動することにより、前記穴部を通過して、外装部材から露出されるとともに外装部材内部に収納されることが可能となる請求項１に記載の画像形成装置。
【請求項３】
前記ステイプル針除去手段は、その上面に、スライド方向に延びる凹溝部を有し、
前記穴部は、その内壁に該穴部を通過する前記ステイプル針除去手段の前記凹溝部と係合する凸部を有することにより、ステイプル針除去手段の移動を案内することを可能とすることを特徴とする請求項２に記載の画像形成装置。
【請求項４】
前記画像形成装置は、前記収容部の側壁に形成される穴部と、該穴部の縁部から外装部材内部に向かって延設する案内壁と、回転軸を備え、
前記案内壁は、前記ステイプル針除去手段を外装部材内部に収納するための収納空間を形成し、
前記回転軸は、その両端部それぞれが、前記収納空間を形成する外装部材内部壁の上面と下面に接続するとともに、前記ステイプル針除去手段の任意の点を垂直に貫き、
前記回転軸により前記ステイプル針除去手段を回動可能とすることにより、該ステイプル針除去手段を、外装部材から露出させるとともに外装部材内部に収納することが可能となる請求項１に記載の画像形成装置。
【請求項５】
前記画像形成装置は、前記開口部を塞ぐ蓋部材を備え、
該蓋部材は前記開口部を塞ぐときに、前記外装部材と一連の外側表面を形成することにより、前記ステイプル針除去手段が使用されていないときに、前記ステイプル針除去手段を外装部材内部に収納することを可能とすることを特徴とする請求項１に記載の画像形成装置。
【請求項６】
前記収容部が、前記外装部材に対し着脱自在の収容トレイであることを特徴とする請求項１に記載の画像形成装置。
【請求項７】
前記収容部が、前記外装部材に対し着脱自在の収容トレイであって、
前記収容トレイは、その側壁に形成される穴部と外側底面に配される磁石を備え、
前記画像形成装置は、前記穴部と対向する位置で外装部材内部に設けられた収納空間を備えたことを特徴とする請求項６に記載の画像形成装置。
【発明の詳細な説明】
【技術分野】
【０００１】
本発明は、ステイプル針を除去することができるステイプル針除去手段を備えた画像形成装置に関する。詳細には、画像形成装置を使用する者が、ステイプル針除去手段に不用意に触れてけがをすることを防ぐことができる画像形成装置に関する。
【背景技術】
【０００２】
通常、自動原稿搬送装置が装着された複写機等で用紙束をコピーする際、この用紙束がステイプル綴じされている場合は、コピーする前に、このステイプル針を外さなければならない。ステイプル針を除去するためには、例えば、市販のホッチキスに一体的に設けられているステイプル脱却部を用いる。
複写機使用者にとって、複写作業中にこのようなステイプル針除去のために移動することは非常に煩わしいものである。また、特にホッチキスを用いてステイプル針を除去すると、複写機の周辺に、ステイプル針が散乱して汚くなったりするという不都合も生じていた。
【０００３】
例えば、特許文献１において、ホッチキス脱却具及び針受け箱付複写機が提案されている。しかしながら、この複写機は、作業者が複写作業する際に、無意識にホッチキス脱却具に触れて怪我をしてしまう可能性があるという問題を有していた。また、除去されたホッチキス針は、ホッチキス針除去の際に針受け箱の底面ではねて、箱から外へ飛び出すことが予想され、結果として、複写機付近にホッチキス針が散乱するという問題を有していた。
【０００４】
特許文献２では、上記不具合に対し幾分対策がなされているものの、ホッチキス脱却具が垂直方向に設置されているために、ホッチキス針の除去作業に必要なスペースを確保しなければならない。加えて、ホッチキス脱却具の先端が上向きであるため、脱却されたホッチキス針が脱却具に引っかかると、その脱却具を次に使用する前に、引っかかった針を取り除く必要があるという問題も有していた。
【０００５】
特許文献３及び特許文献４には、ステイプル針を自動で取り除き、取り除かれたステイプル針を自動で除去するような装置が提案されている。これらの自動化された装置によれば、ステイプル針除去のための繁雑な人為的な作業を、軽減または解消することができる。しかしながら、例えば、このステイプル針除去装置を画像形成装置に適用した場合には、装置全体が大型化し、且つ高価になり、消費者の期待に応える画像形成装置とすることが困難となる。
特許文献５には、磁石を使用して、ステイプル針やクリップ等の散乱を防ぐことが開示されている。また、この磁石により、回収したステイプル針を除去する際に、再利用できるクリップ等をトレイ内に分別されることが記載されている。
【０００６】
【特許文献１】実開昭６１−６１５４６号公報
【特許文献２】特開平８−３２８３３８号公報
【特許文献３】特開２０００−１５９４３１号公報
【特許文献４】特開２０００−１２７０６４号公報
【特許文献５】特開２００６−３４３３９２号公報
【発明の開示】
【発明が解決しようとする課題】
【０００７】
本発明は、上記問題に鑑みてなされたものである。即ち、本発明の課題は、画像形成装置を使用する者が、ステイプル針除去手段に不用意に触れてけがをすることを防ぐことができる安全な画像形成装置を提供することとする。
【課題を解決するための手段】
【０００８】
請求項１に係る発明は、幅寸法が先端に向かって細くなる先端部を有する薄板部材からなるステイプル針除去手段と、外装部材に開口部を形成して、前記ステイプル針除去手段により除去されたステイプル針を受ける収容部を備える画像形成装置であって、前記収容部は、その底壁と該底壁の一の縁から立設する一の側壁を有し、前記ステイプル針除去手段は前記側壁から前記収容部空間に向かって突出した状態でステイプル針除去に使用され、前記画像形成装置は、前記ステイプル針除去手段を外装部材から露出させるとともに外装部材内部に収納することを可能とすることを特徴とする画像形成装置に関する。
請求項２に係る発明は、前記画像形成装置は、前記収容部の側壁に形成される穴部 と、該穴部の縁部から外装部材内部に向かって延設する案内壁を備え、前記案内壁は、前記ステイプル針除去手段を外装部材内部に収納するための収納空間を形成し、前記ステイプル針除去手段は、前記案内壁に沿ってスライド移動することにより、前記穴部を通過して、部材から露出されるとともに外装部材内部に収納されることが可能となる請求項１に記載の画像形成装置に関する。
請求項３に係る発明は、前記ステイプル針除去手段は、その上面に、スライド方向に延びる凹溝部を有し、前記穴部は、その内壁に該穴部を通過する前記ステイプル針除去手段の前記凹溝部と係合する凸部を有することにより、ステイプル針除去手段の移動を案内することを可能とすることを特徴とする請求項２に記載の画像形成装置に関する。
請求項４に係る発明は、前記画像形成装置は、前記収容部の側壁に形成される穴部と、該穴部の縁部から外装部材内部に向かって延設する案内壁と、回転軸を備え、前記案内壁は、前記ステイプル針除去手段を外装部材内部に収納するための収納空間を形成し、前記回転軸は、その両端部それぞれが、前記収納空間を形成する外装部材内部壁の上面と下面に接続するとともに、前記ステイプル針除去手段の任意の点を垂直に貫き、前記回転軸により前記ステイプル針除去手段を回動可能とすることにより、該ステイプル針除去手段を、外装部材から露出させるとともに外装部材内部に収納することが可能となる請求項１に記載の画像形成装置に関する。
請求項５に係る発明は、前記画像形成装置は、前記開口部を塞ぐ蓋部材を備え、該蓋部材は前記開口部を塞ぐときに、前記外装部材と一連の外側表面を形成することにより、前記ステイプル針除去手段が使用されていないときに、前記ステイプル針除去手段を外装部材内部に収納することを可能とすることを特徴とする請求項１に記載の画像形成装置に関する。
請求項６に係る発明は、前記収容部が、前記外装部材に対し着脱自在の収容トレイであることを特徴とする請求項１に記載の画像形成装置に関する。
請求項７に係る発明は、前記収容部が、前記外装部材に対し着脱自在の収容トレイであって、前記収容トレイは、その側壁に形成される穴部と外側底面に配される磁石を備え、前記画像形成装置は、前記穴部と対向する位置で外装部材内部に設けられた収納空間を備えたことを特徴とする請求項６に記載の画像形成装置に関する。
【発明の効果】
【０００９】
本発明の画像形成装置は、ステイプル針除去手段を外装部材内部から露出させるとともに外装部材内部に収納することを可能とする。この実施形態によると、ステイプル針除去手段が使用されているときは、該手段を外装部材から露出させ、使用されていないときは、該手段を外装部材内部に収納させることができる。従って、例えば、複写作業のみを行う使用者が、ステイプル針除去手段の先端部に不用意に触れて怪我をすることを防ぐことができる。
【００１０】
本発明の他の実施形態によると、画像形成装置が、前記収容部の側壁に形成される穴部と、該穴部の縁部から外装部材内部に向かって延設する案内壁を備える。この場合、前記ステイプル針除去手段は、前記案内壁に沿ってスライド移動することにより、該手段の露出及び収納のための移動が、手動で容易に行うことができる。
【００１１】
本発明の他の実施形態によると、前記ステイプル針除去手段が、その上面に、スライド方向に延びる凹溝部を有し、前記穴部は、その内壁に該穴部を通過する前記ステイプル針除去手段の前記凹溝部と係合する凸部を有する。これらにより、ステイプル針除去手段の移動を案内することを可能とされている。この実施形態は、除去されたステイプル針が、収容部に容易に回収される点で有利である。即ち、外装部材から露出したステイプル針除去手段によりステイプル針が除去されると、除去された針はステイプル針除去手段の先端に引っかかる。このまま、ステイプル針除去手段を外装部材内部に収納させる方向にスライド移動させる。すると、前記収容部の側壁に形成された穴部の縁が凸形状とされているために、先端に引っかかったステイプル針は凸部分と接触する。そして、ステイプル針除去手段が外装部材内部に向かってスライド移動するとともに、前記凸部分でステイプル針を外側に押し出すようにして、下方の収容部にステイプル針が回収される。この実施形態は、ステイプル針除去手段に引っかかったステイプル針を、使用者が自分の手で取り取り除く必要がないため更に安全性が高められているという点で有利である。この実施形態の他の利点は、ステイプル針除去手段をスライド移動させるという簡便な操作で、収容部に確実にステイプル針を回収できることである。
【００１２】
他の実施形態によると、画像形成装置は、前記収容部の側壁に形成される穴部と、該穴部の縁部から外装部材内部に向かって延設する案内壁と、回転軸を備える。この場合、前記案内壁は、前記ステイプル針除去手段を外装部材内部に収納するための収納空間を形成し、前記回転軸は、その両端部それぞれが、前記収納空間を形成する外装部材内部壁の上面と下面に接続するとともに、前記ステイプル針除去手段の任意の点を垂直に貫く。
この実施形態によると、回転軸によりステイプル針除去手段を回動可能とすることができるので、該手段を、外装部材から露出させたり、外装部材内部に収納したりすることが、手動で且つ簡便に行うことができる。
【００１３】
他の実施形態によると、画像形成装置は、前記開口部を塞ぐ蓋部材を備える。この蓋部材は、前記収容部、即ち外装部材上に形成された開口部を塞ぐときに、前記外装部材と一連の外側表面を形成する。従って、例えば、前記ステイプル針除去手段が使用されていないときに、前記ステイプル針除去手段を外装部材内部に収納することを、手動で且つ簡便に行うことが出来る。
【００１４】
他の実施形態は、前記収容部が、前記外装部材に対し着脱自在の収容トレイである。この場合、ステイプル針除去手段により除去されたステイル針を、容易に回収することができる。
さらに、他の実施形態では、前記収容トレイの外側底面に磁石が配されている。この実施形態によると、ステイプル針除去手段により除去されたステイプル針が、収容トレイの内側底面で跳ねて収容トレイの外側に飛び出すことを防ぐことができる。
また、前記収容トレイは、その側壁に形成される穴部を備え、該穴部と対向する位置で外装部材内部に設けられた収納空間を備える。これにより、前記ステイプル針除去手段を外装部材から露出させるとともに外装部材内部に収納することを可能とされている。
【発明を実施するための最良の形態】
【００１５】
以下、本発明の実施形態を図面に基づいて説明する。
図１は、本発明の一実施形態による複写機の全体構成を示した斜視図である。まず、図１を参照して、本発明の一実施形態による複写機（１）の全体構成について説明する。
【００１６】
本発明に関する複写機（１）は、図１に示すように、原稿給送部（ＡＤＦ：原稿自動送り装置）（１０ａ）により搬送された原稿の画像を読み取って画像データを生成するための原稿読取部（１０）と、その画像データに基づいて用紙（記録紙）に印刷を行うための画像形成部（２０）と、画像形成部（２０）に対して用紙の給紙を行うための上下一対の給紙部（３０）と、印刷後の用紙が排出される胴内排出部（４０）と、複写機（１）の上部前面側に設けられ、複写機（１）を操作するための操作表示部（５０）とを備えている。さらに、操作表示部（５０）の左側方には、ステイプル針処理機構（６０）が配置されている。
【００１７】
本発明は、少なくともステイプル針処理機構（６０）を備えた画像形成装置である。
図２は、第１実施形態に関するステイプル針処理機構（６０）を示す拡大図である。
図２中、ステイプル針除去手段（６１）、収容部（収容トレイ）（６２）、収容部内底壁（６５）、収容部内側壁（６６）、収納スイッチ（６３）、収容内側壁（６６）に形成される穴部（６４）を示す。
【００１８】
収容部（６２）は、ステイプル針除去手段（６１）により除去されたステイプル針（６７）を受けて収容する。この収容部（６２）は、四角形状の収容部内底壁（６５）と、該底壁（６５）の３つの辺から立設する３つの側壁（６６）を有する。図２に記載される収容部（６２）における奥側の側壁（６６）は四角形であり、両側の側壁（６６）は三角形である。収容部（６２）の形状は特に限定されないが、例えば奥側と手前側の側壁（６６）が同じ深さを有するように形成されてもよい。
【００１９】
収容部（６２）は、複合機（１）の外装部材に開口部を形成することにより設計されている。例えば、収容部（６２）は、複合機（１）の外装部材の一部を変形させることにより製造されてもよい。この場合、収容部（６２）と外装部材は一連の外側表面を形成することになる。或いは、収容部（６２）は、前記外装部材に対し着脱自在の収容トレイ（６２）（後に詳説する）であってもよい。
尚、本発明でいう外装部材とは、画像形成装置の内部機器類を覆う筐体部分である。
【００２０】
ステイプル針除去手段（６１）は、幅寸法が先端に向かって細くなる先端部を有する薄板部材からなる。この薄板部材は、例えば、プラスチックや金属等で製造されるが、ステイプル針除去することが可能な機械的強度を備える素材であれば特に限定されない。
ステイプル針除去手段（６１）は、側壁（６６）から収容部（６２）内部空間に向かって突出した状態においてステイプル針除去が可能となる。ステイプル針除去手段（６１）は、収納スイッチ（６３）と一体となり形成されている。この収納スイッチ（６３）は、図２で示す如く、その一部を外装部材の外側表面より突出させて配される。これにより、突出した収納スイッチ（６３）を手動で移動させることにより、これに連動してステイプル針除去手段（６１）を移動させることが可能となる。
【００２１】
第１実施形態は、収容部の側壁（６６）に形成される穴部（６４）と、該穴部（６４）の縁部から外装部材内部に向かって延設する案内壁（図示せず）を備える。また、前記案内壁は、前記ステイプル針除去手段（６１）を外装部材内部に収納するための収納空間を形成する。これにより、ステイプル針除去手段（６１）を外装部材から露出させたり、外装部材内部に収納したりすることが可能となる。したがって、本発明の画像形成装置は、ステイプル針除去しない時、特にステイプル針除去手段の先端に使用者が不用意に触れて怪我をすることが防がれていることにより、安全性が高められている。
前記ステイプル針除去手段（６１）は、前記穴部（６４）を通過して、前記案内壁に沿ってスライド移動（図２中矢印Ａ）することを可能とされる。このスライド移動によりステイプル針除去手段（６１）は、外装部材から露出され、また外装部材内部に収納される。
【００２２】
尚、ステイプル綴じされた用紙束からステイプル針を除去する際は、用紙束のステイプル針と用紙との間に、ステイプル針除去手段（６１）の先端部を挿入して、ステイプル針付近を持って用紙束を下方向へ押し下げる。こうすることにより、ステイプル針（６７）は用紙束から取り外され、図２で示される如く、ステイプル針除去手段（６１）の先端部にステイプル針（６７）が引っかかる。
【００２３】
図３は、ステイプル針除去手段（６１）が、外装部材内部に収納されている様子を示す。
本実施形態は、ステイプル針除去手段（６１）が外装部材内部へ向かってスライド移動することにより、ステイプル針除去手段（６１）の先端部に引っかかっていたステイプル針（６７）は、側壁（６６）により押し出されてステイプル針除去手段（６１）から外れ、収容部（６２）で受けられる。
【００２４】
図４は、図２で示すステイプル針除去手段（６１）付近の拡大図である。尚、図４において、図２で示されるステイプル針（６７）の記載は省略されている。
図４中、ステイプル針除去手段（６１）は、その上面にスライド移動方向に延びる凹溝部（６１１）を備える。更に、収容部（収容トレイ）（６２）の収容部内側壁（６６）に形成される穴部（６４）は、その縁の形状が、該穴部（６４）を通過する前記凹溝部（６１１）断面と相補的な凸部（６４１）を有する形状となっている。
【００２５】
図５は、図４で示したステイプル針除去手段（６１）を用いて、用紙束からステイプル針が除去された後、ステイプル針（６７）がステイプル針除去手段（６１）の先端部に引っかかった状態を拡大して示す。尚、図５中の凸部（６４１）は、ステイプル針（６７）の後方に隠れた状態にある。
収納スイッチ（６３）を、矢印（Ａ）の方向へ移動させると、ステイプル針除去手段（６１）は、外装部材内部に向かう方向にスライド移動する。ステイプル針除去手段（６１）が外装部材内部に収納されるにつれて、ステイプル針除去手段（６１）の先端部に引っかかったステイプル針（６７）は、まず、凸部（６４１）（図４参照）と接触し、その後、凸部（６４１）によって、矢印（Ａ）と反対方向に押し出される。やがて、ステイプル針除去手段（６１）が、外装部材内部に、即ち、収容部内側壁（６６）より内側に収納されたときに、ステイプル針（６７）は、ステイプル針除去手段（６１）からはずれて、収容部（６２）で受けられる（図３の状態）。
【００２６】
この実施形態によると、ステイプル針除去手段（６１）を収容部内側壁（６６）の内側に向かってスライド移動させることにより、ステイプル針（６７）をステイプル針除去手段（６１）から容易に除去することができる。また、除去されたステイプル針（６７）は、確実に収容部（６２）で受けられる。
【００２７】
本発明の第２実施形態を図６及び図７に示す。本実施形態において、ステイプル針処理機構（６０）は、前記収容部の側壁（６６）に形成される穴部（６４）と、該穴部（６４）の縁部から外装部材内部に向かって延設する案内壁（図示せず）と、回転軸（６１２）を備える。前記案内壁は、前記ステイプル針除去手段（６１）を外装部材内部に収納するための収納空間を形成する。
回転軸（６４）は、その両端部それぞれが、前記収納空間を形成する外装部材内部壁の上面と下面に接続するとともに、前記ステイプル針除去手段（６１）の任意の点（Ｂ）を垂直に貫く。この回転軸（６１２）により前記ステイプル針除去手段（６１）を回動可能とする。このステイプル針除去手段（６１）の回動により、ステイプル針除去手段（６１）を外装部材から露出させるとともに外装部材内部に収納することが可能となる。
【００２８】
図６は、ステイプル針除去手段（６１）が、外装部材より、即ち、収容部内側壁（６６）より外側に突出している状態を示す。この状態において、用紙束からステイプル針を除去可能となる。
図７は、ステイプル針除去手段（６１）が、収容部内側壁（６６）より内側に収納されている状態を示す。
【００２９】
本実施形態において、ステイプル針除去手段（６１）を外装部材から出し入れする方法は特に限定されない。例えば、図６で示すステイプル針除去手段（６１）の先端部（ａ）を、収容部内側壁（６６）の内側へと手動で移動させることにより図７で示す状態とすることができる。
例えば、先端部（ａ）を図６中矢印（ｄ）の方向に押すことにより、先端部（ａ）を収容部内側壁（６６）より内側に収納することができる。さらに、先端部（ａ）が収納された状態（図７）から、矢印（ｅ）の方向で先端部（ａ）を、収容部内側壁（６６）より外側にもたらすことができる。このようなステイプル針除去手段（６１）の回動は、回転軸（６１２）付近の側壁（ｂ）を収容部内側壁（６６）の内側に向かって押すことによりなされてもよい。
【００３０】
尚、ステイプル針除去手段（６１）の側壁（ｂ）の表面は、例えば波型（回転軸と平行した溝を形成して、凹部と凸部を交互に備える）表面であってもよい。この場合、滑り止め効果を付与するため、ステイプル針除去手段（６１）を回動させやすくなる。
【００３１】
この第２実施形態によると、ステイプル針除去手段（６１）を使用しない時は、ステイプル針除去手段（６１）の少なくとも先端部（ａ）を、簡便に外装部材の内側に収納可能となる。従って、使用者が、ステイプル針除去手段（６１）を使用しない場合において、その先端部（ａ）に不用意に触れて、怪我をすることを防ぐことができる。
【００３２】
図８及び図９は、本発明の第３実施形態を示す。この実施形態は、収容部（６２）（即ち、複写機（１）の外装部材）の開口部を塞ぐ蓋部材（６１３）を備える。
図８は、蓋部材（６１３）が開放された状態を示す。図９は、蓋部材（６１３）が閉鎖した状態を示す。
【００３３】
この実施形態において、ステイプル針除去手段（６１）は、外装部材から露出した状態に固定されている。従って、蓋部材（６１３）を開放すると（図８の状態）、ステイプル針除去手段（６１）が外装部材から突出する。この状態において、ステイプル針除去手段（６１）により用紙束からステイプル針（６７）を除去することができる。
【００３４】
一方、蓋部材（６１３）が閉じているとき、蓋部材（６１３）は収容部（６２）の開口部を塞ぐとともに、前記外装部材と一連の外側表面を形成する（図９の状態）。本実施形態においては、ステイプル針除去手段（６１）を使用しないときは、蓋部材（６１３）を閉鎖した状態（図９の状態）にする。こうすることにより、使用者が、ステイプル針除去手段（６１）の先端部に不用意に触れて怪我をすることを防ぐことができる。
【００３５】
前述の第１及び第２実施形態においては、ステイプル針除去手段（６１）を移動させることにより、外装部材内部に収納した。一方、第３実施形態においては、蓋部材（６１３）を閉鎖することによりステイプル針除去手段（６１）を外装部材内部に収納する。即ち、蓋部材（６１３）は収納部（６２）の開口部を閉鎖するとき、外装部材と一連と外側表面を形成するため、ステイプル針除去手段（６１）を移動させなくとも外装部材の内側に収納可能となる。
【００３６】
蓋部材（６１３）の形態は特に限定されないが、例えば、スライド式、ジャバラ式、扉式形態が挙げられる。尚、図８及び図９は、スライド式の蓋部材（６１３）を示す。
蓋部材（６１３）が、スライド式或いはジャバラ式形態である場合は、蓋部材（６１３）が移動する方向に沿って、両側の収容部内側壁（６６）に溝部が形成される。この場合、蓋部材（６１３）の両側縁部は、前記溝部内を移動する。
例えば、蓋部材（６１３）が扉式である場合は、収容部（６２）の開口部のうちいずれか一辺に回転軸を備え、これを軸にして回転可能に蓋部材（６１３）が設置される。
【００３７】
蓋部材（６１３）は、つまみ部（６１４）を備え、開閉をより容易にされている。
【００３８】
次に図１０を参照する。本発明の他の実施形態において、前記収容部（６２）は、前記外装部材に対し着脱自在の収容トレイ（６２）であってもよい。図１０（ａ）及び（ｂ）はそれぞれ、収容トレイ（６２）の外装部材から取り外した状態の背面図である。
前記収容トレイは、その側壁に形成される穴部（図１０には示されていない）を備え、前記穴部と対向する位置で外装部材内部に収納空間が設けられている。この穴部により、ステイプル針除去手段（６１）を外装部材から露出させるとともに外装部材内部に収納することが可能となる。
尚、前記第３実施形態、即ち、蓋部材（６１３）と収容トレイが組み合わせられるときは、収容トレイ（６２）に穴部を備えて外装部材から露出させたり外装部材内部に収納したりしてもよいし、穴部を設けずに、ステイプル針除去手段（６１）を収容トレイ（６２）の収容内側壁（６６）に固定させて取り付けられてもよい。
【００３９】
収容トレイ（６２）は、収容部内底壁（６５）の裏面に磁石ホルダポケット（６８）が設けられ、そのポケット（６８）内に、磁石ホルダ（６９）が着脱可能に備えられてもよい。図１０（ａ）は、磁石ホルダポケット（６８）内に磁石ホルダ（６９）が収容されている様子を示す。図１０（ｂ）は、磁石ホルダポケット（６８）から、磁石ホルダ（６９）が矢印（ｆ）の方向で取り出された状態を示す。
【００４０】
図１１には、磁石ホルダ（６９）の斜視図を示す。磁石ホルダ（６９）の片側には、磁石（６９１）が取り付けられている。磁石ホルダ（６９）が磁石ホルダポケット（６８）内に収容される際は、前記磁石（６９１）が収容部内底壁（６５）の裏面に接するように挿入される。
【００４１】
この実施形態によると、収容トレイ（６２）に収容したステイプル針（６７）は、収容部内底壁（６５）に張り付くため、除去されたステイプル針（６７）が散乱することを防ぐことができる。また、収容トレイ（６２）は外装部材から着脱自在であるため、収容トレイ（６２）に収容したステイプル針（６７）は、容易に廃棄することができる。廃棄する際は、収容部内底壁（６５）の裏面に着脱可能に取り付けられた磁石（６９１）を取り外すことにより、容易にステイプル針を廃棄することができる。
【００４２】
図１２乃至図１４は、前述の第１乃至第３の実施形態に対応するステイプル針処理機構（６０）それぞれの変更形態を示す。これら変更形態において、収容部（６２）が、その略中央付近で仕切片（６２３）を備える。これにより、収容部（６２）が、第１の収容部（６２１）と第２の収容部（６２２）を有するようになる。この場合、片方（図１２乃至図１４において仕切片（６２３）より左側）の第１の収容部（６２１）には、ステイプル針除去手段（６１）を備えている。
【００４３】
第２の収容部（６２２）（図１２乃至１４において仕切片（６２３）より右側）は、如何なる用途に使用されてもよい。例えば、クリップ等を収容するために使用されてもよい。或いはホッチキスや糊等の他の筆記用具を収納してもよい。
尚、図１２乃至図１４においては、第１の収容部（６２１）にステイプル針除去手段（６１）を備えているが、例えば、第２の収容部（６２２）にステイプル針除去手段（６１）を備えてもよく、或いは、第３、第４の収容部を形成するために仕切片を追加してもよい。
【００４４】
図１２乃至１４で示す実施形態において、収容部（６２）は、前記外装部材に対し着脱自在の収容トレイ（６２）であってもよい。図１５（Ａ）及び（Ｂ）はそれぞれ、収容トレイ（６２）の外装部材から取り外した状態の背面図である。
収容トレイ（６２）は、収容部内底壁（６５）の裏面に磁石ホルダポケット（６８）が設けられ、そのポケット（６８）内に、磁石ホルダ（６９）が着脱可能に備えられてもよい。図１５（Ａ）は、磁石ホルダポケット（６８）内に磁石ホルダ（６９）が収容されている様子を示す。図１５（Ｂ）は、磁石ホルダポケット（６８）から、磁石ホルダ（６９）が矢印（ｈ）の方向で取り出された状態を示す。
収容トレイ（６２）に備わる仕切片（６２３）は、収容領域を仕切るだけでなく収容トレイを外装部材から取り外す際の取っ手としても機能する。
【００４５】
図１５においては、磁石ホルダポケット（６８）は、第１の収容部（６２１）（図中、仕切片（６２３）より左側）のみに取り付けられている。この場合、第１の収容部（６２１）に備わるステイプル針除去手段（６１）により除去されて収容されたステイプル針（６７）が、収容部（６２１）から飛び出さず散乱しないという利点がある。
ステイプル針（６７）を廃棄するときは、磁石ホルダ（６９）を磁石ホルダポケット（６８）から取り外した後、収容トレイ（６２）を逆さまにすればよい。
【００４６】
第１の収容部（６２１）及び第２の収容部（６２２）の両方の収容部内底壁（６５）の裏面に磁石ホルダポケット（６８）を備えてもよい。この実施形態において、ステイプル針（６７）を廃棄するときは、第１の収容部（６２１）に取り付けられた磁石ホルダ（６９）のみを取り出せばよい。この場合、収容トレイ（６２）を逆さまにすると、第１の収容部（６２１）に収容されたステイプル針（６７）が落下するが、第２の収容部（６２２）に収容される、例えばクリップ等は、落下せずに収容部内底壁上に留まる。
即ち、磁石ホルダ（６９）の出し入れにより、収容部（６２）内底壁上の収容物を簡便に取り除くことが可能となる。
【図面の簡単な説明】
【００４７】
【図１】本発明の一実施形態による複写機の全体構成を示した斜視図である。
【図２】第１実施形態に関するステイプル針処理機構（６０）を示す拡大図である。
【図３】第１実施形態に関するステイプル針処理機構（６０）を示す他の拡大図である。
【図４】図２で示すステイプル針除去手段（６１）付近の拡大図である。
【図５】図４で示したステイプル針除去手段（６１）の先端にステイプル針（６７）が引っかかった状態を拡大して示す。
【図６】第２実施形態に関するステイプル針処理機構（６０）を示す拡大図である。
【図７】第２実施形態に関するステイプル針処理機構（６０）を示す他の拡大図である。
【図８】第３実施形態に関するステイプル針処理機構（６０）を示す拡大図である。
【図９】第３実施形態に関するステイプル針処理機構（６０）を示す他の拡大図である。
【図１０】収容トレイ（６２）の外装部材から取り外した状態の背面図である。（ａ）は、磁石ホルダポケット（６８）内に磁石ホルダ（６９）が収容されている様子を示す。（ｂ）は、磁石ホルダポケット（６８）から、磁石ホルダ（６９）が矢印（ｆ）の方向で取り出された状態を示す。
【図１１】磁石ホルダ（６９）の斜視図である。
【図１２】第１実施形態に対応するステイプル針処理機構（６０）の変更形態を示す。
【図１３】第２実施形態に対応するステイプル針処理機構（６０）の変更形態を示す。
【図１４】第３実施形態に対応するステイプル針処理機構（６０）の変更形態を示す。
【図１５】収容トレイ（６２）の外装部材から取り外した状態の背面図である。（Ａ）は、磁石ホルダポケット（６８）内に磁石ホルダ（６９）が収容されている様子を示す。（Ｂ）は、磁石ホルダポケット（６８）から、磁石ホルダ（６９）が矢印（ｈ）の方向で取り出された状態を示す。
【符号の説明】
【００４８】
１・・・複写機
１０ａ・・・原稿給送部
１０・・・原稿読取部
２０・・・画像形成部
３０・・・給紙部
４０・・・胴内排出部
５０・・・操作表示部
６０・・・ステイプル針処理機構
６１・・・ステイプル針除去手段
６２・・・収容部（収容トレイ）
６２１・・・第１収容部
６２２・・・第２収容部
６２３・・・仕切片
６３・・・収納スイッチ
６４・・・穴部
６５・・・収容部内底壁
６６・・・収容部内側壁
６７・・・ステイプル針
６８・・・磁石ホルダポケット
６９・・・磁石ホルダ
６９１・・・磁石
【図１】
2010046784.tif 000003
【図２】
2010046784.tif 000004
【図３】
2010046784.tif 000005
【図４】
2010046784.tif 000006
【図５】
2010046784.tif 000007
【図６】
2010046784.tif 000008
【図７】
2010046784.tif 000009
【図８】
2010046784.tif 000010
【図９】
2010046784.tif 000011
【図１０】
2010046784.tif 000012
【図１１】
2010046784.tif 000013
【図１２】
2010046784.tif 000014
【図１３】
2010046784.tif 000015
【図１４】
2010046784.tif 000016
【図１５】
2010046784.tif 000017